(57)【要約】【目的】  糞収納袋が取り付けやすく、かつ、ずり落ちにくく、採糞後の着脱が簡単で手や器具を汚すことのない糞取具を提供することを課題とする。【構成】  枠体１と、この枠体１に取り付けられた柄２と、この柄２の裏側に設けられた保持クリップ３とを有し、枠体１の開口部に糞収納袋５を挿入してその端部を枠体１表面を覆うように折り返してこの折り返し部分を保持クリップ３で挟んで装着する糞取具１０において、枠体１表面に滑り止め４を、保持クリップ３に切り込み６を、保持クリップ３の糞収納袋５を挟み込む側に繰返し溝７を設けたことを特徴とする。【選択図】    図１
2009296985.tif 000002
【特許請求の範囲】
【請求項１】
枠体と、この枠体に取り付けられた柄と、この柄の裏側の前記枠体の近傍に設けられたばね付の保持クリップとを有し、前記枠体の開口部に糞収納袋を挿入してその端部を前記枠体表面を覆うように折り返してこの折り返し部分を前記保持クリップで挟んで装着する糞取具において、
前記枠体表面に滑り止めを設けたことを特徴とする糞取具。
【請求項２】
前記滑り止めは、ゴム状突起からなることを特徴とする請求項１に記載の糞取具。
【請求項３】
前記保持クリップに前記糞収納袋の端部を挿入する切り込みを設けたことを特徴とする請求項１または２に記載の糞取具。
【請求項４】
前記保持クリップの前記糞収納袋を挟み込む側に前記糞収納袋が外れる方向と交差する方向の繰返し溝を設けたことを特徴とする請求項１乃至３のいずれか１項に記載の糞取具。
【発明の詳細な説明】
【技術分野】
【０００１】
本発明は、糞取具に関し、ことに簡単に糞収納袋を枠体に取り付け、取り外すことができ、汚物を手などを汚すことなく糞収納袋に簡単に収めることが可能な糞取具に関する。
【背景技術】
【０００２】
従来、糞が地面に落ちる前に収納するように、開口部を開いた状態にした糞収納袋をペット、例えば、犬の尻と地面の間に入れて、糞を直接受ける糞取具が知られている。しかし、糞収納袋が取り付け枠体から滑りやすく、取り付けに意外に手間がかかったり、糞を取り終えた糞収納袋を外すときに手を汚す虞があるなどの問題が多かった。このような問題を解決するため、開閉クリップからなる保持具で糞収納袋を押さえるようにした例が報告されている（特許文献１参照）。
【０００３】
しかしながら、特許文献１に示された例でも、袋の折り返していない部分で袋を保持する構造であるため、袋を取り付けるときや糞を取り終えて糞収納袋を外すときに袋がずり落ちやすく、糞を取り終えた後では落下した袋から汚物が漏れて地面や手を汚す虞があるなどの問題が残っている。
【特許文献１】実開平５−４３８５２号公報
【発明の開示】
【発明が解決しようとする課題】
【０００４】
本発明は、従来の技術の有するこのような問題点を鑑みてなされたものであり、その目的とするところは、糞収納袋が取り付けやすく、かつ、取り付けた袋がずり落ちにくく、採糞後の着脱が簡単で手や器具を汚すことのない糞取具を提供することを課題とする。
【０００５】
上記目的を達成するために、本発明は、枠体と、この枠体に取り付けられた柄と、この柄の裏側の前記枠体の近傍に設けられたばね付の保持クリップとを有し、前記枠体の開口部に糞収納袋を挿入してその端部を前記枠体表面を覆うように折り返してこの折り返し部分を前記保持クリップで挟んで装着する糞取具において、前記枠体表面に滑り止めを設けたことを特徴とする。また、この滑り止めはゴム状突起からなることを特徴とする。
【０００６】
ここで、前記保持クリップに前記糞収納袋の端部を挿入する切り込みを設けたことを特徴とする。
【０００７】
また、前記保持クリップの前記糞収納袋を挟み込む側に前記糞収納袋が外れる方向と交差する方向の繰返し溝を設けたことを特徴とする。
【発明の効果】
【０００８】
以上のように、本発明に係る糞取具は枠体に糞収納袋の滑り止めを設け、保持クリップに糞収納袋の端部を挿入する切り込みを設けたので、片手で保持クリップを開きながら、もう一方の手で端部を枠体上で折り返した糞収納袋の端を切り込みに挿入することで、糞収納袋がずり落ちることなく簡単に取り付けることができる。
【０００９】
また、保持クリップの糞収納袋を挟み込む側に糞収納袋が外れる方向と交差する方向の繰返し溝を設けているので、保持クリップを閉じた後は、袋を引っ張っても容易に外れることがなく、逆に、保持クリップを開けば簡単に糞収納袋を引きずり出すことができるので、取り扱いが簡単で、手や器具を汚すことのない糞取具が得られる。
【発明を実施するための最良の形態】
【００１０】
以下、図面を参照しつつ本発明に係る糞取具の実施形態を詳細に説明する。なお、以下の説明は発明をより深く理解するためのものであって、特許請求の範囲を限定するためのものではない。
【００１１】
図１に、本発明に係る糞取具の第１の実施形態の外観図を示す。また、図２に他の実施形態の上面図（ａ）と側面図（ｂ）を示す。なお、便利のため、図２の図１と同一機能の部分には図１と同一の符号をつけて示している。
糞取具１０は、糞収納袋５の開口部を上向きに掛けて固定するための枠体１と、この枠体１から僅かに傾斜して外方に伸びる柄２と、枠体１に掛けられた糞収納袋５を保持するために柄２の枠体１近傍の裏面に設けられたばね９を備えた保持クリップ３から構成されている。枠体１は、環状または多角形枠状であり、開口部の径は１００ｍｍ〜１５０ｍｍぐらいとする。
【００１２】
枠体１の表面の数箇所には、糞収納袋５を滑り落ちにくくするためのゴム状突起からなる滑り止め４が設けられている。このように、滑り止め４を設けることで、枠体１に糞収納袋５を掛けてその端部を折り返すとき、糞収納袋５が枠体１から滑り落ちるのを防ぐことができる。滑り止め４の数は、図１に示す第１の実施形態では３つ、図２に示す他の実施形態では８個になっているが、実際の利用では３個でも充分にその目的を果たすことができる。さらに、柄２の端には、柄２を握りやすくする握り８が設けられている。
【００１３】
図３は、保持クリップ３が開かれた状態での第１の実施形態の枠体１の正面斜視図である。
図３から分かるように、滑り止め４は枠体１の３箇所に設けられており、枠体１に設けられた凹部にゴム状物を差し込んでゴム状突起を作って構成されている。
糞収納袋５を保持する保持クリップ３には、糞収納袋５を挟みやすくするための切り込み６が両サイドに設けられており、ここに糞収納袋５を引っ掛けて挟むことができる。また、保持クリップ３の糞収納袋５を挟む面には、繰返し溝（以下セレーションと呼ぶことにする）７が斜めに設けられている。
【００１４】
図４は、保持クリップ３の下面のセレーション７のイメージ図である。また、図５にこのセレーション部分の断面図を示す。
このセレーション７は、糞収納袋５が外れる方向Ａ，Ｂに対してほぼ垂直になっているため、より糞収納袋５が外れにくくなる。また、図５に示すセレーション７では本体側の溝にクリップ３側の稼動側に設けられた突起が食い込むように構成され、上下のセレーションの溝を深くすることで、凹凸が深く噛み合い、糞収納袋５をしっかりと挟むことができ、糞収納袋５が一層外れにくくなる。
【００１５】
図６は、柄２の下面から見た保持クリップ３の詳細図である。
図６から、保持クリップ３と柄２および枠体１との位置関係、ばね９の構成、保持クリップ３に設けられた２つの切り込み６の位置などが明確に示されている。
図６に示されるように、保持クリップ３は枠体１の根元の裏側に、柄２に沿うように取り付けられている。このため、柄２を持つ側の手で保持クリップ３を握って開閉することができる。また、裏側にあるので糞収納袋５を取り付けた後は表側に出ている部分がなく、枠体１、柄２、保持クリップ３などからなる本体が糞で汚れる虞はほとんどない。
保持クリップ３には、糞収納袋５を挟みやすくするための切り込み６が、右利き、左利きのどちらの人にも対応できるように、両サイドに設けられており、ここに糞収納袋５を引っ掛けることで、よりすばやく簡単に糞収納袋５を取り付けることができる。
図６に示す第１の実施形態の保持クリップ３では、Ｌ字型に切り込み６が入っているが、他の形の切り込みも考えられる。
図７に、他の形の切り込み（斜め溝型）６が入った保持クリップ３の一例を示す。図７（ａ）は外面側、図７（ｂ）は糞収納袋５を挟む内面側の略図である。なお、便利のため、図７にも図１と同一機能の部分には図１と同一の符号をつけて示している。
【００１６】
ついで、本実施形態の糞取具１０の使用方法を図８乃至図１３に沿って説明する。
まず、糞収納袋５を枠体１に取り付ける場合について説明する。
図８に示すように、糞収納袋５を広げ、枠体１の開口部に下から挿入して、糞収納袋５の端部を枠体１を覆うように折り返す。
ついで、一方の手で枠体１の根元と保持クリップ３を握り、保持クリップ３を開いた状態にする。そうして、他方の手で、糞収納袋５の折り返し部分の左右の一方側を引っ張ってきて、枠体１と保持クリップ３の間に挟みこむようにする（図９）。次に引っ張ってきたこの糞収納袋５の折り返し部分を保持クリップ３の切り込み６に挟み込む（図１０）。これにより、より袋が取り付けやすく、かつ滑り落ちにくくなる。なお、切り込み６に挟み込むのは一方だけで充分である。そうして保持クリップ３を閉じることで、引っ張ってきたこの糞収納袋５の折り返し部分を保持クリップ３の片側に挟み込む。
ついで、糞収納袋５の折り返し部分の左右の他方側も引っ張ってきて、保持クリップ３の反対側で挟み込む（図１１）。
これで、糞取具１０本体への糞収納袋５の取り付けが終了する。
以上に述べたように、取り付け作業は糞収納袋５の１箇所を保持クリップ３で挟むだけなので、比較的簡単であり、最初、糞収納袋５の折り返し部分の一部を切り込み６に挟むことで、失敗することなく取り付けが行える。
【００１７】
このように、糞収納袋５を取り付けた糞取具１０をペット、例えば、犬の散歩時に持って行き、犬が糞を排出する姿勢になったとき、枠体１の開口部分に当たる糞収納袋５の部分を犬の尻に持って行って直接糞を糞収納袋５の中に入れて回収する。
【００１８】
糞収納袋５を枠体１から取り外す場合は、図１２に示すように、糞が入った糞収納袋５の上部、枠体１のすぐ下の辺りを一方の手で握る。この状態のまま、図１３に示すように他方の手で、柄２とともに保持クリップ３を握ってクリップを開き、一方の手で糞収納袋５を引っ張ることで、糞収納袋５に入ったまま回収することができる。
【００１９】
本実施形態の糞取具１０を用いると、次にあげるようなメリットがある。
柄２を握ったまま犬の尻の直下で、直接糞を糞収納袋５に受けるので、犬の動きに対応しやすく、枠体１の開口の径を比較的小さくしても糞を取り損なわず、地面を汚すことがない。しかも枠体１は糞収納袋５の開口部を外測にひっくり返して覆い被されているので、枠体１、柄２、保持クリップ３などからなる本体も糞で汚れることはなく、また、枠体１の外測にひっくり返した、糞収納袋５の開口部先端付近も糞で汚れることはないので、糞を取り終えた後、収納袋５を枠体１から外すときにも、糞取具１０本体や手を汚すことはない。また、糞収納袋５としてビニールなどのプラスチックスの袋を使用すれば、糞を取り終えた糞収納袋５を本体から外して、その開口部を結べば臭いもなく、染み出す事もなく衛生的であり、しかも糞収納袋５の値段も安く済む。糞収納袋５は特別のものではないので、スーパーの袋などを利用することができる。
【００２０】
また、直接糞を糞収納袋５に受けるので、雨の日や便がゆるい場合でも、周辺を汚す心配がない。また、糞収納袋５を固定する保持クリップ３が裏側にあるため、たとえ糞を取るのに失敗しても、糞取具１０自身が汚れる心配がない。
【００２１】
糞収納袋５を取り付ける方法は、少なくとも１箇所を保持クリップ３で挟むだけなので、切り込み６に糞収納袋５の一部が引っかかれば、まず失敗なく取り付けることができ、クリップ３で挟んだ後は、保持クリップ３の内面にセレーション７があるため、糞収納袋５が外れることはない。
糞収納袋５を取り外す方法は、保持クリップ３を握って糞収納袋５を引っ張るだけでよく、手間がかからず、匂いがもれる前に袋の口を結ぶことができ、衛生的である。
また、アルミパイプを用いて柄２を伸縮自在に構成することができるので、全体を軽量に構成することができ、持ち運びが楽である。
さらに、構造が単純なので子供でも年寄りでも簡単に用いることができる。
【００２２】
なお、以上の説明では、本実施の形態に係る糞取具を犬用の糞取りに用いた例を示したが、これに限られるものではなく、例えば、猫等の愛玩用動物の糞取具として用いることもできる。
【産業上の利用可能性】
【００２３】
本発明は、以上に述べたように構成され利用できるので、犬の糞の回収に効果があり、愛犬家が利用するのは勿論、ペットショップなどでの利用、販売が広く望める。
【図面の簡単な説明】
【００２４】
【図１】本発明に係る糞取具の一実施形態の外観斜視図である。
【図２】本発明に係る糞取具の他の実施形態の上面図と側面図である。
【図３】図１に示す実施形態の保持クリップが開かれた状態での枠体の正面斜視図である。
【図４】図１に示す実施形態の保持クリップの下面のセレーションのイメージ図である。
【図５】図１に示す実施形態の保持クリップの下面のセレーションの断面図である。
【図６】図１に示す実施形態の柄の下面から見た保持クリップの詳細図である。
【図７】他の実施形態の保持クリップの上面図および下面図である。
【図８】本実施形態の糞取具の使用方法の説明図である。
【図９】本実施形態の糞取具の使用方法の説明図である。
【図１０】本実施形態の糞取具の使用方法の説明図である。
【図１１】本実施形態の糞取具の使用方法の説明図である。
【図１２】本実施形態の糞取具の使用方法の説明図である。
【図１３】本実施形態の糞取具の使用方法の説明図である。
【符号の説明】
【００２５】
１    枠体
２    柄
３    保持クリップ
４    滑り止め
５    糞収納袋
６    切り込み
７    繰り返し溝（セレーション）
８    握り
９    ばね
１０    糞取具
【図１】
2009296985.tif 000003
【図２】
2009296985.tif 000004
【図３】
2009296985.tif 000005
【図４】
2009296985.tif 000006
【図５】
2009296985.tif 000007
【図６】
2009296985.tif 000008
【図７】
2009296985.tif 000009
【図８】
2009296985.tif 000010
【図９】
2009296985.tif 000011
【図１０】
2009296985.tif 000012
【図１１】
2009296985.tif 000013
【図１２】
2009296985.tif 000014
【図１３】
2009296985.tif 000015